(57)【要約】【課題】格子材を容易に取付けることができ、組立性が良いパネル体を提供する。【解決手段】本発明にかかるパネル体１は、格子材１３と、格子受け材１５、１６と、格子位置決め部材１７、１８とを備え、格子材１３は複数あり、格子受け材１５、１６は格子材を列設状態で係合により取付けるものであり、格子位置決め部材１７、１８は、複数の格子材１３の端部１３ｅに架設して格子受け材１５、１６にそれぞれ取付けて格子材１３の長手方向の位置決めをする。【選択図】図１
2019190186.tif 000002
【特許請求の範囲】
【請求項１】
格子材と、格子受け材と、格子位置決め部材とを備え、格子材は複数あり、格子受け材は格子材を列設状態で係合により取付けるものであり、格子位置決め部材は、複数の格子材の端部に架設して格子受け材に取付けて格子材の長手方向の位置決めをすることを特徴とするパネル体。
【発明の詳細な説明】
【技術分野】
【０００１】
本発明は、格子材が取付けられたパネル体に関する。
【背景技術】
【０００２】
図１４に示すように、格子材１０３を表面材１０７に取付けたドア（パネル体）１０１が公知である。
【発明の概要】
【発明が解決しようとする課題】
【０００３】
しかし、パネル体１０１は、格子材１０３を両面テープ１０５で表面材１０７に１本１本取付けていたため組立性が悪いという問題があった。
【０００４】
そこで、本発明は、格子材を容易に取付けることができ、組立性が良いパネル体の提供を目的とする。
【課題を解決するための手段】
【０００５】
請求項１に記載の発明は、格子材と、格子受け材と、格子位置決め部材とを備え、格子材は複数あり、格子受け材は格子材を列設状態で係合により取付けるものであり、格子位置決め部材は、複数の格子材の端部に架設して格子受け材に取付けて格子材の長手方向の位置決めをすることを特徴とするパネル体である。
【発明の効果】
【０００６】
請求項１に記載の発明によれば、格子材は格子受け材に係合により取付けるので、格子材を取付け易く、パネル体の組立性が良い。
【図面の簡単な説明】
【０００７】
【図１】本発明の第１実施形態にかかるパネル体の図であり、図７のＡ−Ａ断面図であって、格子材を上側にした図である。
【図２】図７に示すＢ部の拡大図である。
【図３】格子受け材の図であり、（ａ）は一方の格子受け材の底面図であり、（ｂ）は他方の格子受け材の底面図である。
【図４】格子位置決め部材の図であり、（ａ）は一方の格子位置決め部材の正面図であり、（ｂ）は（ａ）に示す一方の格子位置決め部材の底面図であり、（ｃ）は他方の格子位置決め部材の正面図であり、（ｄ）は（ｃ）に示す他方の格子位置決め部材の底面図あり、（ｅ）は取付け部の図であって、（ｃ）に示すＥ−Ｅ断面図である。
【図５】ドア本体の表面材に格子受け材を取付ける工程を示す正面図である。
【図６】格子受け材に格子材を取付ける工程を示す底面図である。
【図７】第１実施形態にかかるパネル体を室外側から見た正面図である。
【図８】第１実施形態にかかるパネル体を室内側から見た正面図である。
【図９】第２実施形態にかかるパネル体であって、図１に対応する位置で切断した断面図である。
【図１０】第３実施形態にかかるパネル体の図であり、図１１のＣ−Ｃ断面図であって、格子材を上側にした図である。
【図１１】第３実施形態にかかるパネル体を室外側から見た正面図である。
【図１２】第４実施形態にかかるパネル体の図であり、図１３のＤ−Ｄ断面図であって、格子材を上側にした図である。
【図１３】第４実施形態にかかるパネル体を室外側から見た正面図である。
【図１４】従来のパネル体であって、ドア本体の表面材に格子材を取付ける工程の斜視図である。
【発明を実施するための形態】
【０００８】
以下に、添付図面を参照して本発明の実施形態を説明する。
図１に示すように、本実施形態にかかるパネル体１はドアであり、室外側面に格子材１３と、格子受け材１５、１６と、格子位置決め部材１７、１８とを備えている。
図７に示すように、格子材１３はパネル体１の上端から下端に亘る寸法を有し、各格子材１３はパネル体１の表面の左右に亘って複数列設されている。各格子材１３は、細格子であり、左右寸法の小さい格子材１３が多数設けてある。
図１に示すように、格子材１３は、格子受け材１５、１６の係合部１６ｈ（後述する）に対する被係合部１３ａ、１３ｇと、平面部１３ｃと、平面部１３ｃから室外側に突出する凸部１３ｂとを有する。
被係合部１３ａ、１３ｇは、格子材１３の左右方向の一端側と他端側からそれぞれ格子受け材１５、１６に向けて突出して形成してあり、左右の被係合部１３ａ、１３ｇが間隔を狭めるように弾性変形可能である。
被係合部１３ａ、１３ｇは、互いに対向する対向側と反対側の面に傾斜面１３ｋを有している。傾斜面１３ｋは、室外側ほど対向する間隔を広げて傾斜しており、その室外側端には、互いに対向する側と反対側の面に凹部１３ｈが形成されている。
凸部１３ｂは横断面が略四角筒形状を成しており、四角筒の中空は、後述する格子位置決め部材１７、１８の挿入部１８ｂが挿入する挿入孔１３ｄとしてある。
各格子材１３は、細格子であり、隣り合う格子材１３の凸部１３ｂ、１３ｂの間隔は平面部１３ｃを挟んで略等間隔になるように配置してある。
図６に示すように、格子材１３の凸部１３ｂ及び平面部１３ｃの室外側表面には、樹脂材フィルム等の被覆材５１（図６において破線で表示）が貼ってある。
【０００９】
格子受け材１５、１６はパネル体１の上端から下端に亘る寸法を有し、各格子受け材１５、１６はパネル体１の表面材５３の室外側面に左右に並べて配置してある。
格子受け材１５、１６は、一方の格子受け材１５と、他方の格子受け材１６を有し、一方の格子受け材１５には、間隔保持部１６ｇ（後述する）を有さないが、他方の格子受け材１６は有する。本実施形態では、一方の格子受け材１５を一つと、他方の格子受け材１６を複数取付けてある。
具体的には、図１に示すように、ドア本体５７の表面材５３の室外側面の戸先側（左右一端側）には、一方の格子受け材１５（図３（ａ）参照）が一つ取付けてあり、それ以外の位置には他方の格子受け材１６（図３（ｂ）参照）が、間隔保持部１６ｇを戸先側（一方の格子受け材１５側）に向けて取付けてある。間隔保持部１６ｇの見付寸法Ｙ１１は、格子材１３の平面部１３ｃの見付寸法Ｘ１２と同程度の寸法である（図３（ｂ）及び図６参照）。
尚、図１中のＢ１６は、格子受け材１５、１６同士、又は他方の格子受け材１６、１６同士の境目である。
図３（ａ）（ｂ）に示すように、各格子受け材１５、１６は、略平面状の基部１６ｉと、基部１６ｉの左右端部に設けた凸部１６ｂとを有し、左右の凸部１６ｂ、１６ｂ間には互いに間隔をあけて室外側に向けて突出した突起部１６ａが形成されている。
突起部１６ａの左右には、それぞれ基部１６ｉと略平行に突出した係合部１６ｈが形成されている。一方及び他方の格子受け材１５、１６の左端の凸部１６ｂにも右方向に突出する係合部１６ｈが形成されており、格子受け材１５、１６の平面部１６ｃにもその左側部に左方向に突出する係合部１６ｈが形成されている。
一方及び他方の格子受け材１５、１６の各凸部１６ｂは、室外側に突出する横断面が略四角形を成しており、格子材１３の凸部１３ｂと略同じ形状をしている。一方及び他方の格子受け材１５、１６の平面部１６ｃの左右方向の長さは格子材１３の平面部１３ｃと略同じ寸法としてある（図６参照）。
図３（ａ）（ｂ）に示すように、間隔保持部１６ｇ、凸部１６ｂ、及び平面部１６ｃの室外表面には樹脂フィルム等の被覆材５１が貼ってある。
格子受け材１５、１６の凸部１６ｂにはタッピングホール１６ｄが形成してある。
基部１６ｉには、リベット挿通孔１６ｅが左右に間隔をあけて形成してあると共に各リベット挿通孔１６ｅは上下方向に間隔をあけて列状に形成してある（図５参照）。また、図５に示すように、ドア本体５７の表面材５３にも格子受け材１５、１６のリベット挿通孔１６ｅに対応する位置にリベット挿通孔５３ａが形成してある。
また、図３（ａ）（ｂ）及び図５に示すように、基部１６ｉには、格子位置決め部材１７、１８の係止部１８ｄ（後述する）が係止される被係止部１６ｆが、格子受け材１５、１６の上端側と下端側に２つずつ形成してあり、被係止部１６ｆは例えば窪みである。
【００１０】
図１及び図７に示すように、格子位置決め部材１７、１８は、複数の格子材１３の上側及び下側の端部１３ｅに各々架設してあり、一方の格子受け材１５に取付ける一方の格子位置決め部材１７と、他方の格子受け材１６に取付ける他方の格子位置決め部材１８とを有する。一方の格子位置決め部材１７は、間隔保持部１６ｇの端面を覆う覆い部１８ｆ（後述する）を有さないが（図４（ｂ）参照）、他方の格子位置決め部材１８は覆い部１８ｆを有する（図４（ｄ）参照）。  
格子位置決め部材１７、１８は、格子受け材１５、１６にそれぞれ上側及び下側から取付けて、格子材１３の長手方向の位置決めをしている。
格子受け材１５、１６の上側に取り付ける格子位置決め部材と、格子受け材１５、１６の下側に取り付ける格子位置決め部材とは同じ構成であるから、以下の説明では、格子受け材１５、１６の下側にそれぞれ取付ける格子位置決め部材１７、１８について説明し、上側についてはその説明を省略する。
図４（ａ）〜（ｄ）に示すように、格子位置決め部材１７、１８は、それぞれ格子受け材１５、１６に対する取付け部１８ａを有しており、更に格子材１３の挿入孔１３ｄに挿入する挿入部１８ｂと、一方の格子受け材１５の凸部１６ｂの端面又は他方の格子受け材１６の凸部１６ｂの端面と格子材１３の凸部１３ｂの端面とを覆う覆い部１８ｃと、格子材１３の端部１３ｅに当接する位置決め面１８ｈとを有する。
図４（ｅ）に示すように、取付け部１８ａは係止部１８ｄを有しており、係止部１８ｄは一方又は他方の格子受け材１５、１６の被係止部１６ｆと係止している（図１参照）。
また、図４（ａ）（ｃ）に示すように、挿入部１８ｂは、格子材１３の挿入孔１３ｄの内周面に圧接する圧接部１８ｇを有する（図２参照）。
図４（ａ）〜（ｄ）に示すように、格子位置決め部材１７、１８の左右端の凸部１３ｂにはねじ挿通孔１８ｅが形成してある。  
一方及び他方の格子位置決め部材１７、１８は、複数の格子材１３の小口を覆う端部キャップを兼ねている。
【００１１】
次に、パネル体１の組立方法について説明する。
（１）格子受け材１５、１６の取付け
図５に示すように、ドア本体５７の表面材５３の室外側面の吊元側端に、１つの他方の格子受け材１６をその間隔保持部１６ｇを戸先側に向けて配置する（図１参照）。次に、他方の格子受け材１６のリベット挿通孔１６ｅの位置と、表面材５３のリベット挿通孔５３ａの位置とを合わせてリベット５５で固定する。同様にして他の他方の格子受け材１６を、図５の２点鎖線で示すように、順次並べて固定していく。
最後に、ドア本体５７の表面材５３の室外側面の戸先側端に、一方の格子受け材１５をリベット５５で固定する。
間隔保持部１６ｇの戸先側端は隣接する一方の格子受け材１５又は他方の格子受け材１６の吊元側端に当接して、隣り合う一方の格子受け材１５と他方の格子受け材１６との間隔、及び隣り合う他方の格子受け材１６、１６同士の間隔を一定に保持する（図１参照）。
（２）格子材１３の取付け
図６に示すように、格子材１３の被係合部１３ｇの凹部１３ｈに他方の格子受け材１６の係合部１６ｈを係合し、被係合部１３ｇを軸にして面外方向から矢印Ｚで示すように、格子材１３を回転させ、被係合部１３ａの傾斜面１３ｋを係合部１６ｈに当接させて、更に押し込むことで被係合部１３ａが弾性変形したのち、弾性復帰して格子材１３の被係合部１３ａ、１３ｇが他方の格子受け材１６の係合部１６ｈと係合する。
同様にして、表面材５３の他の格子受け材１５、１６に格子材１３を弾性係合により順次取付ける。
（３）格子位置決め部材１７、１８の取付け
図２に示すように、下側の他方の格子位置決め部材１８の取り付けは、他方の格子受け材１６の被係止部１６ｆに他方の格子位置決め部材１８の取付け部１８ａの係止部１８ｄが係止するまで、下方から上方に向けて他方の格子位置決め部材１８の挿入部１８ｂを格子材１３の挿入孔１３ｄに挿入し、他方の格子位置決め部材１８の位置決め面１８ｈが複数の格子材１３の下側の端部１３ｅに当接させる。また、挿入部１８ｂの圧接部１８ｇは、格子材１３の挿入孔１３ｄに圧接する。
次に、ねじ５９を他方の格子位置決め部材１８のねじ挿通孔１８ｅに挿通し、他方の格子受け材１６のタッピングホール１６ｄに螺合する。
同様にして、上側の格子位置決め部材１８の取り付けは、上方から下方に向けて他方の格子位置決め部材１８の挿入部１８ｂを格子材１３の挿入孔１３ｄに挿入し、ねじ５９で格子位置決め部材１８を他方の格子受け材１６に取付ける。
このようにして、順次、他方の格子受け材１６の上側及び下側に他方の格子位置決め部材１８を取付けていく。同様にして、一方の格子受け材１５に一方の格子位置決め部材１７を取付ける。
格子位置決め部材１７、１８を格子受け材１５、１６にそれぞれ取付けることにより、格子材１３の長手方向の位置決めができ、更に格子位置決め部材１７、１８の挿入部１８ｂが格子材１３の挿入孔１３ｄに挿入されているため、格子材１３が格子受け材１５、１６から外れる方向（見込方向）の動きを規制することができる。
【００１２】
次に、格子材１３のメンテナンスについて説明する。
ある格子材１３が損傷した場合、上述した取付けとは逆手順で格子材１３を格子受け材１５、１６から取外す。
次に、格子受け材１５、１６の取外した格子材１３の位置に新たな格子材１３を取り付ける。
【００１３】
第１実施形態にかかるパネル体１の作用効果について説明する。
図６に示すように、格子材１３は格子受け材１５、１６に係合により取付けるので、格子材１３を取付け易く、パネル体１の組立性が良い。
格子位置決め部材１７、１８は格子材１３の端部１３ｅに架設して格子受け材１５、１６にそれぞれ取付けてあるため、格子材１３の長手方向の位置決めができる。
【００１４】
格子材１３を弾性変形して、格子材１３の被係合部１３ａ、１３ｇそれぞれの凹部１３ｈに格子受け材１５、１６の係合部１６ｈを係合して、格子材１３を面外方向から格子受け材１５、１６に対して弾性係合で取付けているので、格子受け材１５、１６に格子材１３を押し込むだけで取付けることができる。したがって、格子材１３が格子受け材１５、１６に取付け易く、パネル体１の組立性が更に優れる。
格子材１３が格子受け材１５、１６から着脱し易いため、格子材１３の損傷による取替えが必要な場合にメンテナンス性に優れる。
一方の格子受け材又は他方の格子受け材と、複数の格子材とが一体となった構造では、格子材１３同士の間隔が狭いため、格子受け材１５、１６の凸部１６ｂと格子材１３の凸部１３ｂとの間、及び格子材１３の凸部１３ｂ同士の間に被覆材５１を貼るための治具が入り難いため、被覆材５１を貼ることが困難であるが、格子受け材１５，１６に格子材１３を取付ける構造としたことで、格子材１３を取付ける前に格子受け材１５，１６及び格子材１３の必要な面に被覆材５１を容易に貼ることができる。
図２に示すように、格子位置決め部材１７、１８の挿入部１８ｂは格子材１３の挿入孔１３ｄに挿入されているため、格子材１３と一方又は他方の格子受け材１５、１６との係合が緩むことによって格子材１３が一方又は他方の格子受け材１５、１６から面外方向に外れることを防止できる。
一方及び他方の格子位置決め部材１７、１８は複数の格子材１３の端部キャップを兼ねており、格子材１３の端部１３ｅを覆うことができるので、意匠性に優れる。
図３及び図６に示すように、他方の格子受け材１６の間隔保持部１６ｇの見付寸法Ｙ１１は格子材１３の平面部１３ｃの見付寸法Ｘ１２と同程度であり、一方及び他方の格子受け材１５、１６の凸部１６ｂは格子材１３の凸部１３ｂと略同じ形状をしているため、各凸部１３ｂ、１６ｂの間隔を一定にすることができる。
【００１５】
以下に本発明の他の実施形態を説明するが、以下に説明する実施形態において、上述した第１実施形態と同一の作用効果を奏する部分には同一の符号を付することによりその部分の詳細な説明を省略し、以下の説明では第１実施形態と主に異なる点を説明する。
図９を参照して本発明の第２実施形態を説明する。
第２実施形態では、一方及び他方の格子受け材１５、１６にはタッピングホール１６ｄは形成されておらず、更に一方及び他方の格子位置決め部材１７、１８にはねじ挿通孔１８ｅが形成されていない。即ち、格子位置決め部材１７、１８は、それらの取付け部１８ａの係止部１８ｄと、格子受け材１５、１６の被係止部１６ｆとの係止によって格子受け材１５、１６にそれぞれ取付けてある。
この第２実施形態によれば、上述した第１実施形態と同様の作用効果に加えて、格子受け材１５、１６と格子位置決め部材１７、１８とのそれぞれの固定にねじ５９を用いていないので、部品点数が少なく、更に組立性が良い。  
【００１６】
以下に、図１０及び図１１を参照して、本発明の第３実施形態を説明する。
この第３実施形態では、格子材は、見付面の左右方向の寸法がそれぞれ異なる３種類の格子材１３、２３、３３を用いている。見付面の左右方向の寸法は、格子材１３、格子材２３、３３の順序で大きくしてある。
格子材１３は、第１実施形態と同種のものを用いている。
格子材２３は、他方の格子受け材１６の１つの突起部１６ａをまたいで、被係合部１３ａ、１３ｇを、係合部１６ｈに弾性係合して、他方の格子受け材１６に取付けてある。
格子材３３は、他方の格子受け材１６の２つの突起部１６ａをまたいで、被係合部１３ａ、１３ｇを、係合部１６ｈに弾性係合して、他方の格子受け材１６に取付けてある。
格子位置決め部材１８の覆い部１８ｃは、格子材１３、２３、３３の端面の形状に合わせた形状としてある。
尚、格子受け材１６には、間隔保持部１６ｇを有する他方の格子受け材１６及び間隔保持部１６ｇの端面を覆う覆い部１８ｆを有する格子位置決め部材１８のみを用いている。
この第３実施形態によれば、第３実施形態にかかるパネル体１は、複数種の格子材１３、２３、３３を備えており、格子材１３、２３、３３の中から適宜選択して他方の格子受け材１６に取付けることができるため、様々な組合せが可能であり、パネル体１の意匠性が更に優れる。
【００１７】
図１２及び図１３を参照して、本発明の第４実施形態を説明する。
第４実施形態では、格子材１３はその長手方向を横向きに取付けてあり、これに対応して格子受け材１６も長手方向を横向きに取付けてある。
この第４実施形態によれば、第１実施形態では格子材１３がその長手方向を縦にして取り付けてあるのに対して、格子材１３の長手方向を横にして取り付けてあるから、第１実施形態と同様の作用効果を奏すると共に、第１実施形態とは異なる外観を得ることができる。
【００１８】
本発明は、上述した実施形態に限らず、本発明の要旨を逸脱しない範囲で種々変形可能である。
例えば、格子材１３の凸部１３ｂは、横断面が略四角形の形状に限らず、三角形、円弧状等の形状であっても良い。
第１実施形態において、間隔保持部１６ｇを有さない一方の格子材受け材１５はドア本体５７の表面材５３の室外側面の左右一端側に取付ければ良く、吊元側端に取付けてそれ以外の位置に間隔保持部１６ｇを有する他方の格子受け材１６を取付けても良い。
また、表面材５３の室外側面には、一方の格子受け材１５を取付けた後に他方の格子受け材１６を取付けても良い。同様に、一方の格子受け材１５に一方の格子位置決め部材１７を取付けた後に、他方の格子位置決め部材１８を他方の格子受け材１６に取付けても良い。
第１実施形態において、見付方向の幅を大きくした一方の格子受け材１５に全ての格子材１３を取付けるようにしても良いし、他方の格子受け材１６の幅を大きくして一つの他方の格子受け材１６に取り付ける格子材１３の数を増やしても良い。
第１実施形態において、格子受け材１５、１６のリベット挿通孔１６ｅと干渉しない位置の格子材１３のみを取付けておき、格子受け材１５、１６をドア本体５７の表面材５３の室外側面に固定した後で、残りの格子材１３を取付けても良い。
第３及び４実施形態における他方の格子受け材１６にはタッピングホール１６ｄが無く、他方の格子位置決め部材１８にはねじ挿通孔１８ｅが無くても良い。
第３及び第４実施形態において、第１実施形態のように、ドア本体５７の表面材５３の室外側面の左右一端側の領域にのみ間隔保持部１６ｇを有さない一方の格子受け材１５を取付け、それ以外の領域に間隔保持部１６ｇを有する他方の格子受け材１６を取付けても良い。
第４実施形態において、表面材５３にパネル体１の長手方向に対して横向きに取付けた他方の格子受け材１６に、第３実施形態における複数種類の格子材１３、２３、３３を取付けても良い。
パネル体１はドアに限らず、フェンス、塀、門柱であっても良い。
【符号の説明】
【００１９】
１    パネル体
１３    格子材
１３ｅ  端部
１５    一方の格子受け材
１６    他方の格子受け材
１７    一方の格子位置決め部材
１８    他方の格子位置決め部材
２３    格子材（第３実施形態）
３３    格子材（第３実施形態）
【図１】
2019190186.tif 000003
【図２】
2019190186.tif 000004
【図３】
2019190186.tif 000005
【図４】
2019190186.tif 000006
【図５】
2019190186.tif 000007
【図６】
2019190186.tif 000008
【図７】
2019190186.tif 000009
【図８】
2019190186.tif 000010
【図９】
2019190186.tif 000011
【図１０】
2019190186.tif 000012
【図１１】
2019190186.tif 000013
【図１２】
2019190186.tif 000014
【図１３】
2019190186.tif 000015
【図１４】
2019190186.tif 000016